(57)【要約】【課題】  ２本のローラを備える場合であっても塗料のムダを低減して、高い作業効率を維持できるローラ用ハンドルを提供する。【解決手段】  回動用軸部３３ａの先端部の外径は他の部分の外径より小さくして段差部が形成してあり、軸受部４３の内径は、回動用軸部３３ａの先端部の外径より大きく、回動用軸部３３ａの先端部以外の部分の外径より小さくなしてある。軸受部４３内を貫通させて、軸受部４３から突出した回動用軸部３３ａの先端部にナット４５を螺合させることによって、ヘッド部４を回動用軸部３３ａ回りに回動自在に支持させてある。これによって、ヘッド部４を被塗装領域から離隔させた状態では、ヘッド部４を回動用軸部３３ａ回りに回動させることができ、一方、ヘッド部４を被塗装領域に当接させた状態では、把持部２を回動用軸部３３ａ回りに揺動させることができる。【選択図】  図１
2015213874.tif 000002
【特許請求の範囲】
【請求項１】
作業者が把持する把持部と、塗装剤を含浸させるローラをそれぞれ支持する２本の支持アームが互いに平行に設けてあるヘッド部との間を柄部にて連結してなり、
前記ヘッド部は、両支持アームの間を通る回動軸回りに回動自在に構成してある
ことを特徴とするローラ用ハンドル。
【請求項２】
前記回動軸は両支持アームと平行に構成してある請求項１記載のローラ用ハンドル。
【請求項３】
前記ヘッド部は棒状の基底アームの両端部にそれぞれ前記支持アームを立設してなり、
前記基底アームの長手方向の中途位置で前記柄部の先端部に回動自在に連結してある
請求項２記載のローラ用ハンドル。
【請求項４】
前記柄部の先端部は前記両支持アームと平行になるように屈曲させて回動軸になしてあり、
前記基底アームの長手方向の中途位置には柄部の先端部を挿通させる環状の軸受部が設けてあり、
該軸受部内に前記柄部の先端部を挿通させて、前記基底アームと柄部の先端部とが回動自在に連結してある
請求項３記載のローラ用ハンドル。
【発明の詳細な説明】
【技術分野】
【０００１】
本発明は、壁及び塀等の被塗装部を塗装すべく、塗料といった塗装剤を含浸させるローラを支持するローラ用ハンドルに関する。
【背景技術】
【０００２】
建物の外壁又は壁等の被塗装部を塗装する場合、その周面を起毛させてなる円筒状のローラをローラ用ハンドルのヘッド部に回転自在に取付け、その状態でローラに塗料を含浸させた後、当該ローラ用ハンドルの把持部を把持して、被塗装部の表面にローラを転接させている。このようなローラ用ハンドルにあっては、塗装効率を向上させるために次のような２つのローラを支持するように構成したものが開発されている（特許文献１参照）。
【０００３】
図７は特許文献１に記載されたローラ用ハンドルの使用態様を示す斜視図である。ローラ用ハンドル１１は、金属製の棒状材を用いてなる柄部１３０を備えており、該柄部１３０の一端部は適宜長さの筒材を外嵌させて、作業者が把持する把持部１２０になしてある。一方、柄部１３０の他端側は直角に屈曲させてある。
【０００４】
柄部１３０の他端側には、柄部１３０と直交する方向へ配した二本のローラ支持棒１４１，１４１が柄部１３０の軸長方向へ適宜の距離を隔てて互いに平行に配してあり、両ローラ支持棒１４１，１４１の一端部は柄部１３０の軸長方向と適宜の仰角になるように配した棒状の連結部１３３によって互いに連結してある。連結部１３３は柄部１３０の他端部に垂設した棒状の支持部１３２によって支持されており、これによって柄部１３０と連結部１３３にて連結された両ローラ支持棒１４１，１４１との間に段差が形成されている。これら連結部１３３及びローラ支持棒１４１，１４１によってヘッド部１４０が構成されており、ローラ支持棒１４１，１４１にそれぞれ円筒状のローラＲ，Ｒを外嵌させた後、ローラ支持棒１４１，１４１の他端にコ字状の止具１４６を取り付けることによって、ローラＲ，Ｒを回転自在に支持するようになっている。
【０００５】
しかし、このようなローラ用ハンドル１１では塗装作業中、ヘッド部１４０の角度が固定されているため、例えば、作業者が自己の身長より低位の領域を塗装する場合に、ヘッド部１４０の位置を１８０°回転させるように、ローラ用ハンドル１１を持ち替えなければならず、塗装作業の効率が低下するのに加え、塗装ムラが発生し易いという問題があった。そのため、後記する特許文献２には次のようなローラ塗装機が開示されている。
【０００６】
図８は特許文献２に開示されたローラ塗装機の使用態様を示す側面図であり、図中、１７０は側面視が台形状のカバーである。このカバー１７０は矩形笠状をなしている。カバー１７０内には、対向する両側壁を貫通する２本の支持軸１４１，１４１がカバー１７０の奥行き方向へ適宜の距離を隔てて架設してあり、両支持軸１４１，１４１には円筒状のローラＲ，Ｒがそれぞれ回転自在に外嵌してある。カバー１７０の天井壁の略中央には２つの小片部１７１（１７１）がカバー１７０の幅方向へ距離を隔てて立設してあり、両小片部１７１（１７１）間にはピン１７２がカバー１７０の奥行き方向と直交するように架設してある。このピン１７２には柄１３０の先端部が、ピン１７２の中心軸回りに回動自在に連結してあり、これによってカバー１７０と柄１３０との角度を変更し得るようになっている。
【０００７】
このようなローラ塗装機１２にあっては、カバー１７０と柄１３０との角度を変更し得るようになっているため、作業者が自己の身長より低位の領域を塗装する場合であっても、作業者はローラ塗装機の柄１３０を持ち替えることなく連続して塗装作業を行うことができる。
【先行技術文献】
【特許文献】
【０００８】
【特許文献１】実開昭５１−４５９５１号公報
【特許文献２】特開２００６−１５３１８号公報
【発明の概要】
【発明が解決しようとする課題】
【０００９】
しかしながら、前述したいずれの場合であっても、２本のローラＲ，Ｒに塗料を含浸させる際には、両ローラＲ，Ｒとも塗料中に浸漬させなければならないため、前者の場合にあってはローラ用ハンドル１１のヘッド部１４０も、後者の場合にあってはカバー１７０も塗料中に浸漬されることとなり、その分だけ塗料がムダになる一方、ヘッド部１４０又はカバー１７０に付着した塗料が被塗装領域に落下するのを防止すべく、ヘッド部１４０又はカバー１７０に付着した塗料を十分に切っておかなければならず、却って作業効率が低下するという問題があった。
【００１０】
本発明は斯かる事情に鑑みてなされたものであって、２本のローラを備える場合であっても塗料のムダを低減して、高い作業効率を維持できるローラ用ハンドルを提供する。
【課題を解決するための手段】
【００１１】
（１）本発明に係るローラ用ハンドルは、作業者が把持する把持部と、塗装剤を含浸させるローラをそれぞれ支持する２本の支持アームが互いに平行に設けてあるヘッド部との間を柄部にて連結してなり、前記ヘッド部は、両支持アームの間を通る回動軸回りに回動自在に構成してあることを特徴とする。
【００１２】
本発明のローラ用ハンドルにあっては、作業者が把持する把持部と、塗装剤を含浸させるローラをそれぞれ支持する２本の支持アームが互いに平行に設けてあるヘッド部とを備えており、把持部とヘッド部との間を柄部にて連結してある。そして、ヘッド部は、両支持アームの間を通る回動軸回りに回動自在に構成してある。ここで、回動軸は両ローラと平行に構成してもよく、両ローラと交わるように構成してもよい。
【００１３】
このようなローラ用ハンドルにあっては、作業者は把持部を把持し、ヘッド部の両支持アームにそれぞれ取り付けたローラの内の先端に位置するローラを、容器内の塗装剤中に浸漬させることによって、当該ローラに塗装剤を含浸させる。そして、当該ローラに塗装剤を十分に含浸させると、作業者は当該ローラを塗装剤から引き出して、余分な塗装剤をローラから滴下させて除去する。
【００１４】
次いで、作業者は、例えば前記容器の内壁に当該ローラを衝突させて、ヘッド部を回動軸回りに回動させることによって他方のローラを先端に位置させる。そして、前同様の作業を実施することによって他方のローラに塗装剤を十分に含浸させた後、当該ローラを塗装剤から引き出して、余分な塗装剤をローラから滴下・除去する。
【００１５】
このように本発明のローラ用ハンドルにあっては、塗装剤中に浸漬させる部分を両ローラの部分に略限定することができるため、塗装剤のムダを可及的に低減することができる。同様に、塗装剤中に浸漬させる部分を両ローラの部分に略限定することができるため、余分な塗装剤の除去に要する時間も可及的に短くすることができ、従って２本のローラを備える場合であっても高い作業効率を維持することができる。
【００１６】
一方、把持部を持ち替えることなく、２本のローラの内の任意のローラを先端に位置させることができるため、先端に位置させるローラを適当なタイミングで入れ替えることによって、両ローラの消耗割合を同じ程度に管理することができ、両ローラの寿命を延ばすことができる。
【００１７】
（２）本発明に係るローラ用ハンドルは、前記回動軸は両支持アームと平行に構成してあることを特徴とする。
【００１８】
本発明のローラ用ハンドルにあっては、両支持アームの間を通る回動軸は両支持アームと平行に構成してあるため、ヘッド部を被塗装領域から離隔させた状態では、ヘッド部を回動軸回りに回動させて、前述した如く高い作業効率を維持しつつ塗装剤のムダを可及的に低減することができる。一方、ヘッド部を被塗装領域に当接させた状態では、把持部を回動軸回りに揺動させることができるため、作業者は把持部を持ち替えることなく、相対的に高位の領域から低位の領域へ連続して塗装作業を実施することができる。
【００１９】
（３）本発明に係るローラ用ハンドルは、前記ヘッド部は棒状の基底アームの両端部にそれぞれ前記支持アームを立設してなり、前記基底アームの長手方向の中途位置で前記柄部の先端部に回動自在に連結してあることを特徴とする。
【００２０】
本発明のローラ用ハンドルにあっては、ヘッド部は棒状の基底アームの両端部にそれぞれローラを支持する支持アームを立設してＵ字状になしてある。そして、かかるヘッド部を構成する基底アームの長手方向の中途位置、好ましくは基底アームの長手方向の中央位置において、柄部の先端部に回動自在に連結してある。これによって、ローラ用ハンドルを可及的に簡単な構成になすことができ、製造コストを廉価にすることができる。
【００２１】
（４）本発明に係るローラ用ハンドルは、前記柄部の先端部は前記両支持アームと平行になるように屈曲させて回動軸になしてあり、前記基底アームの長手方向の中途位置には柄部の先端部を挿通させる環状の軸受部が設けてあり、該軸受部内に前記柄部の先端部を挿通させて、前記基底アームと柄部の先端部とが回動自在に連結してあることを特徴とする。
【００２２】
本発明のローラ用ハンドルにあっては、柄部の先端部はヘッド部の両支持アームと平行になるように屈曲させて回動軸になしてあり、ヘッド部の基底アームの長手方向の中途位置、好ましくは基底アームの長手方向の中央位置には、柄部の先端部を挿通させる環状の軸受部が設けてある。そして、この軸受部内に柄部の先端部を挿通させて、ヘッド部の基底アームと柄部の先端部とが回動自在に連結してある。このように、柄部の先端部は屈曲させてあるだけであるため可及的に簡素化されており、塗装作業中、柄部の先端部の被塗装部への干渉を回避することができる。
【図面の簡単な説明】
【００２３】
【図１】本発明に係るローラ用ハンドルの正面図である。
【図２】本発明に係るローラ用ハンドルの平面図である。
【図３】本発明に係るローラ用ハンドルの側面図である。
【図４】本発明に係るローラ用ハンドルを用いて壁を塗装している状態を説明する説明図である。
【図５】本発明に係るローラ用ハンドルに取り付けたローラに塗料を含浸させる方法を説明する説明図である。
【図６】実施の形態２に係るローラ用ハンドルの構成を示す模式的斜視図である。
【図７】従来のローラ用ハンドルの使用態様を示す斜視図である。
【図８】従来のローラ塗装機の使用態様を示す側面図である。
【発明を実施するための形態】
【００２４】
（実施の形態１）
以下、本発明に係るローラ用ハンドルについて図面に基づいて詳述する。なお、本実施の形態で説明するローラ用ハンドルは、本発明の趣旨を説明する一例であり、本発明はその趣旨を逸脱しない範囲での変形を含むことはいうまでもない。
【００２５】
図１〜図３は、本発明に係るローラ用ハンドルの正面図、平面図及び側面図であり、図中、３は棒状材を用いてなる柄部である。ローラ用ハンドル１の柄部３の一端側には作業者が把持する柱状の把持部２が配してあり、柄部３は把持部２に、その一端を把持部２の一端部内へ、把持部２の中心軸に倣って埋設することによって固定してある。
【００２６】
柄部３は、把持部２から該把持部２の中心軸上へ延出させた脚部３１と、該脚部３１に連通し、把持部２から適宜寸法だけ隔てた位置で平面視が略へ字状になるように屈曲させた胴部３２と、該胴部３２に連通し、把持部２の中心軸と平行になしたるように屈曲させてなり、後述するヘッド部４を回動自在に支持するための首部３３とを設けて構成してあり、首部３３の先端は内側、即ち把持部２の中心軸上側へ９０°屈曲させて回動用軸部３３ａになしてある。この回動用軸部３３ａの中心軸が後述するヘッド部４の回動軸として機能している。なお、胴部３２及び首部３３は同じ面内で屈曲させてある。
【００２７】
なお、本実施の形態では、傾斜させた胴部３２を設けた場合について説明したが、本発明はこれに限らず、胴部３２は、柄部３の把持部２から適宜寸法だけ隔てた位置でクランク状又は円弧状と適宜の形状に屈曲させて構成してもよく、また、脚部３１と首部３３との間をその中途位置で屈曲させることなく直線状に構成してもよい。
【００２８】
前述した回動用軸部３３ａには図示しないローラを取り付けるためのヘッド部４が回動自在に支持されている。ヘッド部４は、回動用軸部３３ａに回動自在に支持される短寸棒状の基底アーム４２の両端部にローラを支持する棒状の支持アーム４１，４１を互いに平行に立設して全体として直角Ｕ字状に構成してなり、基底アーム４２の長手方向の中央位置には前記回動用軸部３３ａを挿通させる筒状の軸受部４３が設けてある。
【００２９】
一方、回動用軸部３３ａの先端部の外径は他の部分の外径より小さくして段差部が形成してある。前述した軸受部４３の内径は、回動用軸部３３ａの先端部の外径より大きく、回動用軸部３３ａの先端部以外の部分の外径より小さくなしてある。そして、軸受部４３内を貫通させて、軸受部４３から突出した回動用軸部３３ａの先端部にナット４５を螺合させることによって、ヘッド部４を回動用軸部３３ａ回りに回動自在に支持させてある。ここで、回動用軸部３３ａとヘッド部４の両支持アーム４１，４１とは互いに平行になっている。
【００３０】
これによって、ヘッド部４を被塗装領域から離隔させた状態では、ヘッド部４を回動用軸部３３ａ回りに回動させることができ、一方、ヘッド部４を被塗装領域に当接させた状態では、把持部２を回動用軸部３３ａ回りに揺動させることができる。
【００３１】
ここで、前述したヘッド部４の基底アーム４２の長さ寸法、即ち支持アーム４１，４１間の寸法は、両支持アーム４１，４１に円筒状のローラをそれぞれ取り付けた際に、両ローラが互いに接触しないように設定してある。また、首部３３の寸法及び胴部３２の傾斜角度は、ヘッド部４の支持アーム４１，４１に円筒状のローラをそれぞれ取り付けた状態でヘッド部４を回動用軸部３３ａ回りに回動させた際に、両ローラが胴部３２に接触しないように設定してある。
【００３２】
なお、図１〜図３に示したローラ用ハンドル１にあってはヘッド部４に軸受部４３を設け、首部３３に回動用軸部３３ａを設けてあるが、本発明はこれに限らず、ヘッド部４に回動用軸部を設け、首部３３に軸受部を設けてもよいことはいうまでもない。
【００３３】
ところで、前述した把持部２の一端側の周縁には、複数のツメ部２１，２１，２１，２１（図１〜図３にあっては４つ）が把持部２の中心軸と平行に延設してあり、例えば、空の容器の縁部に適宜のツメ部２１を引掛けることによって、ローラ用ハンドル１のヘッド部４に取り付けたローラを床又は地面等に接触させることなく、ローラ用ハンドル１及びローラを保持することができるようになっている。
【００３４】
次に、このようなローラ用ハンドルの使用様態について説明する。
図４は本発明に係るローラ用ハンドルを用いて壁を塗装している状態を説明する説明図であり、（ａ）は相対的に高位の領域を塗装する場合を、また（ｂ）は床に近い低位の領域を塗装する場合を示している。なお、図４中、図１〜図３に示した部分に対応する部分には同じ番号を付してある。
【００３５】
ローラ用ハンドル１を用いて壁Ｗを塗装する場合、当該ローラ用ハンドル１のヘッド部４を構成する支持アームを円筒状のローラＲ，Ｒの端部中央からそれぞれの中心軸上に沿って侵入させることによって、ローラＲ，Ｒをヘッド部４に取り付けた後、両ローラＲ，Ｒに後述するように塗料を十分に含浸させる。
【００３６】
そして、図４（ａ）に示したように、壁Ｗの相対的に高い位置を塗装する場合、作業者は把持部２を把持してローラＲ，Ｒを壁Ｗに当接させ、その状態でローラＲ，Ｒを鉛直方向へ進退移動させることによって壁Ｗを塗装する。このとき、把持部２が回動用軸部回りに、床Ｆと略平行な姿勢から床Ｆ側へ傾いた姿勢の間を揺動するため、相対的に高位の領域であっても円滑に塗装作業を行うことができる。
【００３７】
また、図４（ｂ）に示したように、床Ｆに近い低位の領域を塗装する場合、把持部２が回動用軸部回りに、前述した揺動領域から連続して床Ｆと略平行な姿勢から床Ｆとは反対側へ傾いた姿勢の間を揺動するため、作業者は把持部２を持ち替えることなく連続して低位の領域へローラＲ，Ｒを移動させることができ、当該領域でローラＲ，Ｒを鉛直方向へ進退移動させることによって当該領域を塗装することができる。かかる塗装作業中、ローラＲ，Ｒ中の塗料が少なくなった場合、作業者は次のようにしてローラＲ，Ｒに塗料を含浸させる。
【００３８】
図５は本発明に係るローラ用ハンドルに取り付けたローラに塗料を含浸させる方法を説明する説明図である。なお、図中、図４に示した部分に対応する部分には同じ番号が付してある。
【００３９】
図５に示したように、天上部が開口された容器Ｃ内に塗料が貯留されている。作業者は把持部２を把持し、ローラ用ハンドル１のヘッド部４に取り付けたローラＲ，Ｒのいずれか一方が先端に位置しているか否かを視認し、ローラＲ，Ｒが共に先端に位置していた場合、例えば容器Ｃの内壁にローラＲ，Ｒを転接させることによって、いずれか一方のローラＲを先端に位置させる。その状態で、作業者は先端のローラＲを容器Ｃ内の塗料中に浸漬させることによって、当該ローラＲに塗料を含浸させる。
【００４０】
ローラＲを塗料中に適宜時間浸漬させて、当該ローラＲに塗料を十分に含浸させると、作業者は当該ローラＲを塗料から引き出して、余分な塗料をローラＲから滴下させて除去する。
【００４１】
次いで、把持部２を把持した作業者は、例えば容器Ｃの内壁に当該ローラＲを衝突させて、ヘッド部４を回動用軸部３３ａ回りに回動させることによって他方のローラＲを先端に位置させる。そして、前同様の作業を実施することによって他方のローラＲに塗料を十分に含浸させた後、当該ローラＲを塗料から引き出して、余分な塗料をローラＲから滴下・除去する。
【００４２】
このようなローラ用ハンドル１にあっては、塗料中に浸漬させる部分を略ローラＲ，Ｒの部分に限定することができるため、塗料のムダを可及的に低減することができる。同様に、塗料中に浸漬させる部分を略ローラＲ，Ｒの部分に限定することができるため、余分な塗料の除去に要する時間も可及的に短くすることができ、従って２本のローラＲ，Ｒを備える場合であっても高い作業効率を維持することができる。
【００４３】
一方、把持部２を持ち替えることなく、２本のローラＲ，Ｒの内の任意のローラＲを先端に位置させることができるため、先端に位置させるローラＲを適当なタイミングで入れ替えることによって、両ローラＲ，Ｒの消耗割合を同じ程度に管理することができ、両ローラＲ，Ｒの寿命を延ばすことができる。
【００４４】
（実施の形態２）
図６は実施の形態２に係るローラ用ハンドルの構成を示す模式的斜視図である。前述した実施の形態１では、回動軸がヘッド部４の支持アーム４１，４１（いずれも図１参照）の間に、支持アーム４１，４１と平行に構成した場合を示したが、本実施の形態２では、回動軸が支持アーム４１，４１の間に、支持アーム４１，４１と直交するように構成してある。なお、図６中、図１〜図３に示した部分に対応する部分には同じ番号が付してある。
【００４５】
図６に示したように、ヘッド部４は、距離を隔てて互いに平行に配した支持アーム４１，４１の両端をそれぞれ連結部４４，４４で連結し、両連結部４４，４４の長手方向の中央位置にそれぞれ立設した結合アーム４６，４６の両端部間に基底アーム４２を架設して構成してある。
【００４６】
基底アーム４２の長手方向の中央位置には軸受部４３が設けてあり、該軸受部４３内には回動用軸部３５が遊嵌してある。軸受部４３内を貫通させて、軸受部４３から突出した回動用軸部３５の先端部にナット４５を螺合させることによって、ヘッド部４を回動用軸部３５回りに回動自在に支持させてある。回動用軸部３５の他端側には柄部３が配してあり、該柄部３はヒンジ部３７を介して回動用軸部３５に連結してある。そして、柄部３はヒンジ部３７によって基底アーム４２と平行な軸回りに揺動し得るようになっている。
【００４７】
このようなローラ用ハンドル１ａにあっては、作業者は把持部２を把持し、ヘッド部４の両支持アーム４１，４１にそれぞれ取り付けたローラＲ，Ｒの内の先端に位置するローラＲを、容器内の塗装剤中に浸漬させることによって、当該ローラＲに塗装剤を含浸させる。そして、当該ローラＲに塗装剤を十分に含浸させると、作業者は当該ローラＲを塗装剤から引き出して、余分な塗装剤をローラＲから滴下させて除去する。
【００４８】
次いで、作業者は、例えば前記容器の内壁に当該ローラを衝突させて、ヘッド部４を回動用軸部３５回りに回動させることによって他方のローラＲを先端に位置させる。そして、前同様の作業を実施することによって他方のローラＲに塗装剤を十分に含浸させた後、当該ローラＲを塗装剤から引き出して、余分な塗装剤をローラＲから滴下・除去する。
【００４９】
このように本ローラ用ハンドル１ａにあっては、塗装剤中に浸漬させる部分を両ローラＲ，Ｒの部分に略限定することができるため、塗装剤のムダを可及的に低減することができる。同様に、塗装剤中に浸漬させる部分を両ローラＲ，Ｒの部分に略限定することができるため、余分な塗装剤の除去に要する時間も可及的に短くすることができ、従って２本のローラＲ，Ｒを備える場合であっても高い作業効率を維持することができる。
【００５０】
一方、把持部を持ち替えることなく、２本のローラＲ，Ｒの内の任意のローラＲを先端に位置させることができるため、先端に位置させるローラＲを適当なタイミングで入れ替えることによって、両ローラＲ，Ｒの消耗割合を同じ程度に管理することができ、両ローラＲ，Ｒの寿命を延ばすことができる。
【００５１】
ところで、把持部２を基底アーム４２と平行な軸回りに揺動させることができるため、前同様、作業者は把持部２を持ち替えることなく、相対的に高位の領域から低位の領域へ連続して塗装作業を実施することができる。
【符号の説明】
【００５２】
１    ローラ用ハンドル
１ａ  ローラ用ハンドル
２    把持部
３    柄部
４    ヘッド部
３２    胴部
３３    首部
３３ａ  回動用軸部（回動軸）
３５    回動用軸部（回動軸）
４１    支持アーム
４２    基底アーム
４３    軸受部
Ｃ    容器
Ｒ    ローラ
Ｆ    床
Ｗ    壁
【図１】
2015213874.tif 000003
【図２】
2015213874.tif 000004
【図３】
2015213874.tif 000005
【図４】
2015213874.tif 000006
【図５】
2015213874.tif 000007
【図６】
2015213874.tif 000008
【図７】
2015213874.tif 000009
【図８】
2015213874.tif 000010